(57)【要約】【課題】モバイルバッテリーをレンタル可能な地点を提示可能にする技術を提供する。【解決手段】管理サーバ２００は、モバイル端末１００の現在位置から所定範囲内に存在するポート３００の位置情報を取得するポート検索処理部２１０を有し、モバイル端末１００は、管理サーバ２００から送信されるポート３００の位置情報と、モバイル端末１００の位置情報とに基づき、モバイルバッテリーの貸出前には、モバイル端末１００の現在位置と、モバイルバッテリーが貸し出されるポート３００が設置されるポート設置地点と、を地図上に表示し、モバイルバッテリーの貸出後には、モバイル端末１００の現在位置と、モバイルバッテリーが返却されるポート３００が設置されるポート設置地点と、を地図上に表示する。【選択図】図１
2019087165.tif 000002
【特許請求の範囲】
【請求項１】
モバイル端末と、前記モバイル端末とネットワークを介して接続される管理サーバと、前記管理サーバとネットワークを介して接続され、モバイルバッテリーが収納されるポートと、を有するモバイルバッテリーレンタルシステムであって、
前記管理サーバは、モバイル端末の現在位置から所定範囲内に存在する前記ポートの位置情報を取得するポート検索処理部を有し、
前記モバイル端末は、
前記管理サーバから送信される前記ポートの位置情報と、前記モバイル端末の位置情報とに基づき、
前記モバイルバッテリーの貸出前には、前記モバイル端末の現在位置と、前記モバイルバッテリーが貸し出される前記ポートが設置されるポート設置地点と、を地図上に表示し、
前記モバイルバッテリーの貸出後には、前記モバイル端末の現在位置と、前記モバイルバッテリーが返却される前記ポートが設置されるポート設置地点と、を地図上に表示する、
モバイルバッテリーレンタルシステム。
【請求項２】
請求項１に記載のモバイルバッテリーレンタルシステムにおいて、
前記管理サーバの前記ポート検索処理部は、前記ポートごとの返却可能な前記モバイルバッテリーの台数を前記モバイル端末に送信し、
前記モバイル端末は、前記ポート設置地点と前記返却可能な前記モバイルバッテリーの台数とを表示する、
モバイルバッテリーレンタルシステム。
【請求項３】
請求項１に記載のモバイルバッテリーレンタルシステムにおいて、
前記管理サーバは、貸出可能な前記モバイルバッテリーの残台数が所定値以下かを前記ポートごとに判定し、前記残台数が所定値以下ではない前記ポートについては前記モバイルバッテリーの利用時間と１時間あたりの料金とに基づきレンタル料を算出し、前記残台数が所定値以下である前記ポートについては、前記モバイルバッテリーの利用時間と１時間あたりの料金と所定の係数とに基づき割引後レンタル料を算出するレンタル料算出部を有する、
モバイルバッテリーレンタルシステム。
【請求項４】
請求項１に記載のモバイルバッテリーレンタルシステムにおいて、
前記管理サーバの前記ポート検索処理部は、
前記モバイルバッテリーの貸出前には、前記ポートごとの貸出可能な前記モバイルバッテリーの台数を前記モバイル端末に送信し、
前記モバイルバッテリーの貸出後には、前記ポートごとの返却可能な前記モバイルバッテリーの台数を前記モバイル端末に送信し、
前記モバイル端末は、
前記モバイルバッテリーの貸出前には、前記ポート設置地点と前記貸出可能な前記モバイルバッテリーの台数とを表示し、
前記モバイルバッテリーの貸出後には、前記ポート設置地点と前記返却可能な前記モバイルバッテリーの台数とを表示する、
モバイルバッテリーレンタルシステム。
【請求項５】
請求項１に記載のモバイルバッテリーレンタルシステムにおいて、
前記モバイル端末は、前記ポート設置地点で利用可能なクーポンを表示する、モバイルバッテリーレンタルシステム。
【請求項６】
請求項１に記載もモバイルバッテリーレンタルシステムにおいて、
前記ポートは、前記ポート設置地点および／または他の前記ポート設置地点の広告を表示するディスプレイを有する、モバイルバッテリーレンタルシステム。
【請求項７】
請求項１に記載のモバイルバッテリーレンタルシステムにおいて、
前記モバイル端末には、クレジットカード情報が登録されている、モバイルバッテリーレンタルシステム。
【請求項８】
モバイル端末と、前記モバイル端末とネットワークを介して接続される管理サーバと、前記管理サーバとネットワークを介して接続され、モバイルバッテリーが収納されるポートと、を有するモバイルバッテリーレンタルシステムにおけるモバイルバッテリーレンタル方法であって、
前記管理サーバのポート検索処理部が、モバイル端末の現在位置から所定範囲内に存在する前記ポートの位置情報を取得するポート位置情報取得ステップと、
前記モバイル端末が、
前記管理サーバから送信される前記ポートの位置情報と、前記モバイル端末の位置情報とに基づき、
前記モバイルバッテリーの貸出前には、前記モバイル端末の現在位置と、前記モバイルバッテリーが貸し出される前記ポートが設置されるポート設置地点と、を地図上に表示する貸出先表示ステップと、
前記モバイルバッテリーの貸出後には、前記モバイル端末の現在位置と、前記モバイルバッテリーが返却される前記ポートが設置されるポート設置地点と、を地図上に表示する返却先表示ステップと、
を有する、
モバイルバッテリーレンタル方法。
【請求項９】
モバイルバッテリーが収納されるポートの位置情報と、モバイル端末の位置情報とに基づき、前記モバイル端末の現在位置と、前記ポートが設置されるポート設置地点と、を地図上に表示する、モバイル端末。
【発明の詳細な説明】
【技術分野】
【０００１】
本発明は、モバイルバッテリーレンタルシステムおよびモバイルバッテリーレンタル方法ならびにモバイル端末に関する。
【背景技術】
【０００２】
持ち運び可能なスマートフォンなどのモバイル端末は、バッテリーを備えているため、定期的に充電が必要になる。このようなモバイル端末を移動中に充電可能なモバイルバッテリーが知られている。また、モバイルバッテリーをレンタルするサービスが知られている。
【０００３】
例えば、特開平１１−１５０８０９号公報（特許文献１）には、「レンタル用バッテリと、レンタル用バッテリを収納した無人自動バッテリ・レンタル装置 （バッテリ交換装置）と、無人自動バッテリ・レンタル装置を通信回線を介して集中管理を行う中央管理装置とを備えたバッテリ・レンタルシステム。」が記載されている。
【先行技術文献】
【特許文献】
【０００４】
【特許文献１】特開平１１−１５０８０９号公報
【発明の概要】
【発明が解決しようとする課題】
【０００５】
特許文献１に記載されている技術では、複数のモバイルバッテリーを利用者がスムーズに共通使用させることができる。しかしながら、特許文献１に記載されている技術では、どこにいけばモバイルバッテリーを貸出、返却可能なのか提示できないという問題があった。
【０００６】
本発明の目的は、モバイルバッテリーを貸出、返却可能な地点を提示可能にする技術を提供することである。
【課題を解決するための手段】
【０００７】
本願において開示される発明のうち、代表的なものの概要を簡単に説明すれば、次の通りである。
【０００８】
本発明の一実施の形態は、モバイル端末と、前記モバイル端末とネットワークを介して接続される管理サーバと、前記管理サーバとネットワークを介して接続され、モバイルバッテリーが収納されるポートと、を有するモバイルバッテリーレンタルシステムであって、前記管理サーバは、モバイル端末の現在位置から所定範囲内に存在する前記ポートの位置情報を取得するポート検索処理部を有する。また、前記モバイル端末は、前記管理サーバから送信される前記ポートの位置情報と、前記モバイル端末の位置情報とに基づき、前記モバイルバッテリーの貸出前には、前記モバイル端末の現在位置と、前記モバイルバッテリーが貸し出される前記ポートが設置されるポート設置地点と、を地図上に表示する。また、前記モバイルバッテリーの貸出後には、前記モバイル端末の現在位置と、前記モバイルバッテリーが返却される前記ポートが設置されるポート設置地点と、を地図上に表示する。
【０００９】
また、本発明の一実施の形態のモバイルバッテリーレンタル方法は、モバイル端末と、前記モバイル端末とネットワークを介して接続される管理サーバと、前記管理サーバとネットワークを介して接続され、モバイルバッテリーが収納されるポートと、を有するモバイルバッテリーレンタルシステムにおけるモバイルバッテリーレンタル方法であって、前記管理サーバのポート検索処理部が、モバイル端末の現在位置から所定範囲内に存在する前記ポートの位置情報を取得するポート位置情報取得ステップを有する。また、前記モバイル端末が、前記管理サーバから送信される前記ポートの位置情報と、前記モバイル端末の位置情報とに基づき、前記モバイルバッテリーの貸出前には、前記モバイル端末の現在位置と、前記モバイルバッテリーが貸し出される前記ポートが設置されるポート設置地点と、を地図上に表示する貸出先表示ステップを有する。また、前記モバイルバッテリーの貸出後には、前記モバイル端末の現在位置と、前記モバイルバッテリーが返却される前記ポートが設置されるポート設置地点と、を地図上に表示する返却先表示ステップを有する。
【００１０】
また、本発明の一実施の形態のモバイル端末は、モバイルバッテリーが収納されるポートの位置情報と、モバイル端末の位置情報とに基づき、前記モバイル端末の現在位置と、前記ポートが設置されるポート設置地点と、を地図上に表示する。
【発明の効果】
【００１１】
本願において開示される発明のうち、代表的なものによって得られる効果を簡単に説明すれば以下のとおりである。
【００１２】
本発明の一実施の形態によれば、モバイルバッテリーを貸出、返却可能な地点を提示できる。
【図面の簡単な説明】
【００１３】
【図１】本発明の一実施の形態におけるモバイルバッテリーレンタルシステムの構成例の概要を示す図である。
【図２】本発明の一実施の形態における管理サーバの利用者情報記憶部に記憶されている利用者情報の構成例の概要を示す図である。
【図３】本発明の一実施の形態における管理サーバのポート情報記憶部に記憶されているポート情報の構成例の概要を示す図である。
【図４】本発明の一実施の形態における管理サーバのモバイルバッテリー情報記憶部に記憶されているモバイルバッテリー情報の構成例の概要を示す図である。
【図５】本発明の一実施の形態における管理サーバのレンタル情報記憶部に記憶されているレンタル情報の構成例の概要を示す図である。
【図６】本発明の一実施の形態におけるモバイル端末のディスプレイに表示される貸出先表示画面の構成例の概要を示す図である。
【図７】本発明の一実施の形態におけるモバイル端末のディスプレイに表示される返却先表示画面の構成例の概要を示す図である。
【図８】本発明の一実施の形態における全体処理の概要を示す図である。
【図９】本発明の一実施の形態におけるポート検索処理の概要を示す図である。
【図１０】本発明の一実施の形態における貸出処理の概要を示す図である。
【図１１】本発明の一実施の形態における返却先検索処理の概要を示す図である。
【図１２】本発明の一実施の形態における決済処理の概要を示す図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
＜システム構成＞
【００１５】
図１は、本発明の一実施の形態におけるモバイルバッテリーレンタルシステムの構成例の概要を示す図である。図１に示されるように、モバイルバッテリーレンタルシステムは、複数のモバイル端末１００と、モバイル端末１００とネットワークを介して接続される管理サーバ２００と、管理サーバ２００とネットワークを介して接続される複数のポート３００とを有する。
【００１６】
管理サーバ２００は、ポート検索処理部２１０と、レンタル情報更新部２２０と、レンタル料算出部２３０と、利用者情報記憶部２４０と、ポート情報記憶部２４１と、モバイルバッテリー情報記憶部２４２と、レンタル情報記憶部２４３とを有する。また、権利サーバ２００には、地図を表示するための、地図データが記憶されている。
【００１７】
ポート検索処理部２１０は、モバイル端末１００の現在位置から所定範囲内（例えば、半径１００ｍ〜５０００ｍ以内）に存在するポート３００の位置情報を取得する。また、ポート検索処理部２１０は、モバイル端末１００から送信されるポート設置位置の名称情報と、種別情報とのいずれかをキーに、ポート情報記憶部２４１を検索し、対応するポート３００の位置情報を取得する。
【００１８】
また、ポート検索処理部２１０は、モバイル端末１００から送信される現在位置からポート設置位置までの経路を探索し、探索した経路をモバイル端末１００に送信する。なお、モバイル端末１００が、管理サーバ２００以外の地図データ提供サーバ（不図示）にモバイル端末１００の現在位置を特定するための位置情報と、ポート３００の位置情報とを送信するようにしても良い。この場合、地図データ提供サーバが、モバイル端末１００の現在位置からポート設置位置までの経路を探索し、探索した経路をモバイル端末１００に送信する。
【００１９】
また、ポート検索処理部２１０は、モバイルバッテリーの貸出前には、ポート３００ごとの貸出可能なモバイルバッテリーの台数をモバイル端末１００に送信し、モバイルバッテリーの貸出後には、ポート３００ごとの返却可能なモバイルバッテリーの台数をモバイル端末１００に送信する。
【００２０】
レンタル情報更新部２２０は、モバイルバッテリーの貸出時および返却時に各種情報を更新することで、モバイルバッテリーの管理状態を更新する。また、レンタル情報更新部２２０は、レンタル情報記憶部２４３に記憶されているレンタル情報を参照することで、モバイルバッテリーが返却されているかについて管理する。また、レンタル情報更新部２２０は、レンタル情報記憶部２４３に記憶されているレンタル情報を取得し、レンタル情報を構成する貸出日時から所定日数（例えば、２〜３日）が経過しても返却日時が存在しない（ブランク）場合にモバイル端末１００に返却を促すための警告情報を送信する。また、レンタル情報を構成する貸出日時から所定日数（例えば、２〜３日）が経過して返却日時が存在しない場合、登録されているクレジットカードにモバイルバッテリー代金を請求するようにしても良い
【００２１】
レンタル料算出部２３０は、貸出可能なモバイルバッテリーの残台数が所定値以下かをポート３００ごとに判定し、残台数が所定値以下ではないポート３００についてはモバイルバッテリーの利用時間と１時間あたりの料金とに基づきレンタル料を算出する。また、レンタル料算出部２３０は、残台数が所定値以下であるポートについては、モバイルバッテリーの利用時間と１時間あたりの料金と所定の係数（割引率）とに基づき割引後レンタル料を算出する。
【００２２】
なお、レンタル料算出部２３０は、貸出可能なモバイルバッテリーの残台数に応じて、段階的に１時間あたりの料金に乗算する係数を変化させるようにしても良い。
【００２３】
また、レンタル料算出部２３０は、最大収納可能な台数に対するモバイルバッテリーの残台数の割合が所定の割合を下回った以降に、残台数が１台減るごとに所定値ずつ係数を減算するようにしても良い。例えば、ポート３００に収納されるモバイルバッテリーの残台数が、最大収納可能な台数の７５％以下になった場合に、レンタル料算出部２３０は、係数を「１．０」から所定値（０．０４）減算し、以後、残台数が１台経るごとに、係数を所定値（０．０４）ずつ減算する。
【００２４】
モバイル端末１００には、予めモバイルバッテリーをレンタルするためのアプリケーション（後述する、貸出先表示画面および返却先表画面を表示するためのアプリケーション）がインストールされている。また、モバイル端末１００にインストールされているアプリケーションを利用するに際して、予めクレジットカード情報が登録されており、レンタルの際に、モバイル端末１００による決済が可能になっている。これによって、モバイルバッテリーが盗難された場合であっても、クレジットカードにモバイルバッテリーの代金を請求できる。
【００２５】
モバイル端末１００は、モバイルバッテリーの貸出前には、管理サーバ２００から送信されるポート３００の位置情報と、モバイル端末１００の位置情報とに基づき、貸出先表示画面（後述、図６）をディスプレイに表示させる。貸出先表示画面には、モバイル端末１００の現在位置と、モバイルバッテリーが貸し出されるポート３００が設置されるポート設置地点と、貸出可能なモバイルバッテリーの台数と、現在位置から目的地として設定したポート３００までの経路とが地図上に表示される。
【００２６】
また、モバイル端末１００は、モバイルバッテリーの貸出後には、管理サーバ２００から送信されるポート３００の位置情報と、モバイル端末１００の位置情報とに基づき、返却先表示画面（後述、図７）をディスプレイに表示させる。返却先表示画面には、モバイル端末１００の現在位置と、モバイルバッテリーが返却されるポートが設置されるポート設置地点と、返却可能なモバイルバッテリーの台数と、現在位置から目的地として設定したポート３００までの経路とが地図上に表示される。
【００２７】
また、モバイル端末１００は、貸出先表示画面、返却先表示画面を介して、ポート設置地点で利用可能なクーポンを表示する。
【００２８】
なお、地図を表示するための地図データは、管理サーバ２００により提供されるようにしても良い。また、管理サーバ２００以外の地図データ提供サーバ（不図示）により提供されるようにしても良い。
【００２９】
ポート３００は、観光地、飲食店、ショッピングセンター、コンビニエンスストア、スーパー、カラオケ店などの店舗や、スタジアムや、大学や、駅や、タクシーやバスなどに設置される。利用者は、モバイル端末１００に予めインストールされているアプリケーションを起動することで、近く（現在位置から所定範囲内）のポート３００を検索し、貸出先表示画面を介してモバイルバッテリーの在庫を確認することで、モバイルバッテリーを借りるポート３００を選択する。その後、モバイルバッテリーを借りたポート３００以外のポート３００にも、モバイルバッテリーを返却することが可能となっている。例えば、利用者は、飲食店に設置されているポート３００で借りたモバイルバッテリーをコンビニエンスストアに設置されているポート３００に返却することが可能である。
【００３０】
ポート３００には、複数のモバイルバッテリーが収納されている。モバイルバッテリーは、モバイルバッテリー取り出し口からモバイルバッテリーが取り出されることで、利用者に貸し出される。
【００３１】
また、ポート３００は、ディスプレイを有する。ポート３００のディスプレイは、ポート設置地点および／または他のポート設置地点の広告を表示する。例えば、ポート３００にディスプレイには、ポート３００が設置されている他のポート設置地点についての広告が表示される。また、ポート３００にディスプレイには、ポート３００が設置されているポート設置地点についての広告が表示されるようにしても良い。
【００３２】
また、ポート３００は、モバイルバッテリーの貸出時または返却時にクーポン（自施設または他施設のクーポン）を出力しても良い。
＜利用者情報記憶部＞
【００３３】
図２は、本発明の一実施の形態における管理サーバ２００の利用者情報記憶部２４０に記憶されている利用者情報の構成例の概要を示す図である。図２に示されるように、利用者情報は、利用者ＩＤと、トークンと、氏名と、メールアドレスと、住所などのデータ項目により構成される。
【００３４】
利用者ＩＤは、利用者を識別するための符号を示す。トークンは、モバイルバッテリーのレンタル料の決済に使用される。氏名は、利用者の氏名を示す。メールアドレスは、利用者のメールアドレスを示す。住所は、利用者の住所を示す。
＜ポート情報記憶部＞
【００３５】
図３は、本発明の一実施の形態における管理サーバ２００のポート情報記憶部２４１に記憶されているポート情報の構成例の概要を示す図である。図３に示されるように、ポート情報は、ポートＩＤと、ポート位置情報と、名称情報と、種別情報と、機種別残台数情報と、機種別返却可能台数情報などのデータ項目により構成される。
【００３６】
ポート位置情報は、地図上における位置を特定するための情報であり、緯度および経度からなる。名称情報は、ポート３００が設置されるポート設置地点の名称（店舗名など）を示す。種別情報は、ポート３００が設置されるポート設置地点の種別を示す。ポート３００が設置される種別としては、観光地、飲食店、ショッピングセンター、コンビニエンスストア、スーパー、カラオケ店などの店舗や、スタジアムや、大学や、駅や、タクシーやバスなどが該当する。機種別残台数情報は、モバイルバッテリーの機種ごとの貸し出し可能な台数を示す。機種別返却可能台数情報は、モバイルバッテリーの機種ごとの返却可能な台数を示す。
＜モバイルバッテリー情報記憶部＞
【００３７】
図４は、本発明の一実施の形態における管理サーバ２００のモバイルバッテリー情報記憶部２４２に記憶されているモバイルバッテリー情報の構成例の概要を示す図である。図４に示されるように、モバイルバッテリー情報は、モバイルバッテリーＩＤ、機種情報、ポートＩＤ、利用者ＩＤなどのデータ項目により構成される。
【００３８】
機種情報は、モバイルバッテリーが充電可能なモバイル端末１００の種別や、モバイル端末１００のＯＳ（Ｏｐｅｒａｔｉｎｇ  Ｓｙｓｔｅｍ）の種別を示す。
＜レンタル情報記憶部＞
【００３９】
図５は、本発明の一実施の形態における管理サーバ２００のレンタル情報記憶部２４３に記憶されているレンタル情報の構成例の概要を示す図である。図５に示されるように、レンタル情報は、利用者ＩＤと、モバイルバッテリーＩＤと、貸出日時と、返却日時と、機種情報などのデータ項目により構成される。
【００４０】
貸出日時は、モバイルバッテリーが貸し出された日時を示す。返却日時は、モバイルバッテリーが返却された日時を示す。
＜貸出先表示画面＞
【００４１】
図６は、本発明の一実施の形態におけるモバイル端末１００のディスプレイに表示される貸出先表示画面の構成例の概要を示す図である。図６に示されるように、貸出先表示画面は、地図上に表示されるアイコン６１０と、ポート設置地点情報表示領域６１１と、貸出可能台数表示領域６２０とを含む。
【００４２】
アイコン６１０は、ポート３００が設置されるポート設置地点と対応する位置に表示される。また、アイコン６１０は、ポート３００が設置されるポート設置地点の種別と対応する態様で表示される。
【００４３】
また、ポート設置地点情報表示領域６１２には、ポート設置地点で利用可能なクーポンが表示される。これによって、モバイルバッテリーを借りるポート設置地点にてクーポンを利用することを利用者に促すことができ、ポート３００を設置したポート設置地点（店舗）における売上の増加を図ることができる。
【００４４】
モバイル端末１００は、アイコン６１０を選択する入力を受け付ける。選択されたアイコン６１０は、外枠を所定のマーカー６１１で囲われることで強調表示される。また、選択されたアイコン６１０と対応するポート設置地点に設置されるポート３００についての、機種別残台数情報が、貸出可能台数表示領域６２０に表示される。例えば、貸出可能台数表示領域６２０には、「Ａ機種３台：Ｂ機種：２台：Ｃ機種４台」などのように、貸出可能なモバイルバッテリーの台数が機種ごとに表示される。また、貸出可能台数表示領域６２０には、選択されたアイコン６１０のポート設置地点の名称情報や、ポート設置地点の外観の画像が表示される。
【００４５】
なお、貸出先表示画面には、ポート３００が設置されているポート設置地点と対応するアイコン６１０のみを表示しても良い。また、ポート３００が設置されているポート設置地点のアイコンと、ポート３００が設置されていない地点のアイコン６１０とを異なる態様で表示しても良い。
＜返却先表示画面＞
【００４６】
図７は、本発明の一実施の形態におけるモバイル端末１００のディスプレイに表示される返却先表示画面の構成例の概要を示す図である。図７に示されるように、返却先表示画面は、地図上に表示されるアイコン６１０と、機種別返却可能台数表示領域６３０と、料金表示領域６４０とを含む。
【００４７】
機種別返却可能台数表示領域６３０には、選択されたアイコン６１０と対応するポート設置地点に設置されるポート３００についての機種別返却可能台数情報が表示される。例えば、機種別返却可能台数表示領域６３０には、「Ａ機種０台：Ｂ機種：６台：Ｃ機種１台」などのように、返却可能なモバイルバッテリーの台数が機種ごとに表示される。これによって、利用者は、現在レンタルしているモバイルバッテリーが返却可能かを確認できる。また、機種別返却可能台数表示領域６３０には、選択されたアイコン６１０のポート設置地点の名称情報や、ポート設置地点の外観の画像が表示される。
【００４８】
料金表示領域６４０には、モバイルバッテリーのレンタル料または割引後レンタル料が表示される。レンタル料は、利用時間（貸出日時から現在の日時までの時間）と、１時間あたりの料金とを乗算することで算出される。また、割引後レンタル料は、利用時間（貸出日時から現在の日時までの時間）と、１時間あたりの料金と、所定の係数（例えば、０．８）とを乗算することで算出される。例えば、割引後レンタル料は、利用者が返却しようとしているモバイルバッテリーの残台数が所定値（例えば、１台）以下である場合に適用される。これによって、モバイルバッテリーの残台数が少ないポート３００への返却を促進でき、ポート３００に貸出可能なモバイルバッテリーが存在しなくなるという事態が発生することを抑止できる。
【００４９】
また、料金表示領域６４０には、アイコン６１０と対応するポート設置地点で利用可能なクーポンが表示される。これによって、モバイルバッテリーを返却したポート設置地点にてクーポンを利用することを利用者に促すことができ、ポート３００を設置したポート設置地点（店舗）における売上の増加を図ることができる。
【００５０】
なお、料金表示領域６４０に返却可能なモバイルバッテリーの台数を機種ごとに表示するようにしても良い。また、機種別返却可能台数表示領域６３０または料金表示領域６４０に表示される返却可能なモバイルバッテリーの台数は、利用者がレンタルしている機種についてのみ表示しても良い。
＜全体処理＞
【００５１】
図８は、本発明の一実施の形態における全体処理の概要を示す図である。
【００５２】
まず、Ｓ８０１にて、ポート検索処理（後述、図９）が実行され、貸出先表示画面（前述、図６）がモバイル端末１００のディスプレイに表示される。利用者は、モバイル端末１００のディスプレイに表示される貸出先表示画面を確認することで、モバイルバッテリーを借りるポートまで移動する。
【００５３】
次に、Ｓ８０２にて、貸出処理（後述、図１０）が実行され、利用者にモバイルバッテリーが貸し出される。また、利用者へのモバイルバッテリーの貸出を管理するためのレンタル情報が更新される。
【００５４】
次に、Ｓ８０３にて、返却先検索処理（後述、図１１）が実行され、返却先表示画面（前述、図７）がモバイル端末１００のディスプレイに表示される。利用者は、モバイル端末１００のディスプレイに表示される返却先表示画面を確認することで、モバイルバッテリーを返却するポート３００まで移動する。そして、モバイルバッテリーがポート３００に返却される。
【００５５】
次に、Ｓ８０４にて、決済処理（後述、図１２）が実行され、レンタル料が決済される。また、
＜ポート検索処理＞
【００５６】
図９は、本発明の一実施の形態におけるポート検索処理の概要を示す図である。ポート検索処理は、例えば、モバイル端末１００の貸出先表示画面が起動された場合に開始する。
【００５７】
まず、Ｓ９０１にて、モバイル端末１００は、管理サーバ２００にモバイル端末１００の現在位置を特定するための位置情報を送信する。なお、モバイル端末１００は、Ｓ９０１にて、ポート設置位置の名称情報と、種別情報とのいずれかを送信するようにしても良い。
【００５８】
次に、Ｓ９０２にて、管理サーバ２００のポート検索処理部２１０は、モバイル端末１００から送信された位置情報を受信する。そして、ポート検索処理部２１０は、受信した位置情報から特定される地点から所定範囲内（例えば、半径１００ｍ〜５０００ｍ以内）に存在するポート３００を検索する。また、ポート検索処理部２１０は、受信した位置情報から特定される地点から所定範囲内に存在するポート３００のポートＩＤと、ポート位置情報と、名称情報と、種別情報と、機種別残台数情報とをすべてポート情報記憶部（前述、図３）から取得する。
【００５９】
なお、モバイル端末１００から、ポート設置位置の名称情報と、種別情報のいずれかが送信された場合、ポート検索処理部２１０は、モバイル端末１００から送信されるポート設置位置の名称情報と、種別情報とのいずれかをキーに、ポート情報記憶部２４１を検索し、対応するポート３００のポート３００のポートＩＤと、ポート位置情報と、名称情報と、種別情報と、機種別残台数情報とをすべて取得する。
【００６０】
次に、Ｓ９０３にて、管理サーバ２００は、Ｓ９０２にて取得したポートＩＤと、ポート位置情報と、名称情報と、種別情報と、機種別残台数情報とをモバイル端末１００に送信する。
【００６１】
次に、Ｓ９０４にて、モバイル端末１００は、Ｓ９０３にて管理サーバ２００から送信されたポートＩＤと、ポート位置情報と、名称情報と、種別情報と、機種別残台数情報とを受信する。
【００６２】
次に、Ｓ９０５にて、モバイル端末１００は、Ｓ９０４にて受信したポート位置情報と、名称情報と、種別情報と、機種別残台数情報とに基づき、返却先表示画面（前述、図６）をディスプレイに表示させる。  
＜貸出処理＞
【００６３】
図１０は、本発明の一実施の形態における貸出処理の概要を示す図である。貸出処理は、ポート３００からモバイルバッテリーが取り出された場合や、利用者がモバイルバッテリーのレンタルを開始した場合に、開始する。
【００６４】
まず、Ｓ１００１にて、モバイル端末１００は、利用者ＩＤと貸出日時とを管理サーバ２００に送信する。
【００６５】
次に、Ｓ１００２にて、管理サーバ２００は、Ｓ１００１にて送信された利用者ＩＤと貸出日時とを受信する。
【００６６】
次に、Ｓ１００３にて、ポート３００は、ポート３００から取り出されたモバイルバッテリーのモバイルバッテリーＩＤと、自らのポートＩＤ（モバイルバッテリーが取り出されたポートのポートＩＤ）とを管理サーバ２００に送信する。
【００６７】
次に、Ｓ１００４にて、管理サーバ２００は、Ｓ１００３にて送信されたモバイルバッテリーＩＤとポートＩＤとを受信する。
【００６８】
次に、Ｓ１００５にて、管理サーバ２００のレンタル情報更新部２２０は、Ｓ１１０２にて受信した利用者ＩＤと、貸出日時と、Ｓ１００４にて受信したモバイルバッテリーＩＤと、ポートＩＤとを対応付けてレンタル情報記憶部（前述、図５）２４３に記憶する。これによって、レンタル情報更新部２２０は、新たに貸し出されたモバイルバッテリーの貸出状態を反映して、レンタル情報記憶部２４３に記憶されているレンタル情報を更新する。
【００６９】
次に、Ｓ１００６にて、管理サーバ２００のレンタル情報更新部２２０は、Ｓ１００４にて受信したモバイルバッテリーＩＤをキーにモバイルバッテリー情報記憶部を検索し、対応する機種情報を取得する。
【００７０】
次に、Ｓ１００７にて、管理サーバ２００のレンタル情報更新部２２０は、Ｓ１００４にて受信したポートＩＤをキーに、ポート情報記憶部２４１を検索し、対応するポート情報を取得する。そして、レンタル情報更新部２２０は、取得したポート情報を構成する機種別残台数情報を更新する。具体的には、レンタル情報更新部２２０は、Ｓ１００５にて取得した機種情報と対応する残台数を１台分減算することで、機種別残台数情報を更新する。
【００７１】
なお、Ｓ１００１にて、モバイル端末１００は、利用者ＩＤと、貸出日時と、レンタルを開始したモバイルバッテリーＩＤと、ポートＩＤとを管理サーバ２００に送信するようにしても良い。その場合、管理サーバ２００のレンタル情報更新部２２０は、受信した利用者ＩＤと、貸出日時と、モバイルバッテリーＩＤと、ポートＩＤとを対応付けてレンタル情報記憶部２４３に記憶する。
＜返却先検索処理＞
【００７２】
図１１は、本発明の一実施の形態における返却先検索処理の概要を示す図である。返却先検索処理は、
【００７３】
まず、Ｓ１１０１にて、モバイル端末１００は、管理サーバ２００にモバイル端末１００が現在存在する位置情報を送信する。
【００７４】
次に、Ｓ１１０２にて、管理サーバ２００のポート検索処理部２１０は、モバイル端末１００から送信された位置情報を受信する。そして、ポート検索処理部２１０は、受信した位置情報から特定される地点から所定範囲内（例えば、半径１００ｍ〜５０００ｍ以内）に存在するポートを検索する。また、ポート検索処理部２１０は、受信した位置情報から特定される地点から所定範囲内に存在するポートのポートＩＤと、ポート位置情報と、種別情報と、機種別残台数情報と、機種別返却可能台数情報とをすべてポート情報記憶部２４１から取得する。
【００７５】
次に、Ｓ１１０３にて、管理サーバ２００のレンタル料算出部２３０は、利用者ＩＤをキーにレンタル情報記憶部（前述、図５）２４３を検索し、対応するモバイルバッテリーＩＤと、貸出日時と機種情報とを取得する。
【００７６】
次に、Ｓ１１０４にて、管理サーバ２００のレンタル料算出部２３０は、Ｓ１１０３にて取得した機種情報と、Ｓ１１０２にて受信した機種別残台数情報とに基づき、機種情報から特定される機種の残台数を機種別残台数情報から抽出する。
【００７７】
次に、Ｓ１１０５にて、管理サーバ２００のレンタル料算出部２３０は、Ｓ１１０４にて抽出した残台数が所定値（例えば、１台）以下か否かを判定する。レンタル料算出部２３０が、残台数が所定値以下であると判定する場合（Ｓ１１０４−Ｎｏ）、Ｓ１１１０へ進む。一方、レンタル料算出部２３０が、残台数が所定値以下ではない（所定値を超える）と判定する場合（Ｓ１１０５−Ｙｅｓ）、Ｓ１１０６へ進む。
【００７８】
次に、Ｓ１１０６にて、管理サーバ２００のレンタル料算出２３０は、Ｓ１１０３にて取得した貸出日時と現在の日時とに基づき、レンタル料を算出する。具体的には、レンタル料算出部２３０は、貸出日時から現在の日時までの時間を利用時間として算出する。そして、レンタル料算出部２３０は、利用時間と、１時間あたりの料金とを乗算することで、レンタル料を算出する。
【００７９】
次に、Ｓ１１０７にて、管理サーバ２００は、Ｓ１１０２にて取得したポートＩＤと、ポート位置情報と、種別情報と、機種別返却可能台数情報と、Ｓ１１０６にて算出したレンタル料とをモバイル端末１００に送信する。
【００８０】
次に、Ｓ１１０８にて、モバイル端末１００は、Ｓ１１０７にて管理サーバ２００から送信されたポートＩＤと、ポート位置情報と、種別情報と、機種別返却可能台数と、レンタル料とを受信する。
【００８１】
次に、Ｓ１１０９にて、モバイル端末１００は、Ｓ１１０８にて受信したポート位置情報と、種別情報と、機種別返却可能台数と、レンタル料とに基づき、返却先表示画面（前述、図７）をディスプレイに表示させる。
【００８２】
Ｓ１１０５にて、レンタル料算出部２３０が、残台数が所定値以下であると判定する場合、Ｓ１１１０にて、レンタル料算出２３０は、Ｓ１１０３にて取得した貸出日時と現在の日時と、所定の係数とに基づき、割引後レンタル料を算出する。具体的には、レンタル料算出部２３０は、貸出日時から現在の日時までの時間を利用時間として算出する。そして、レンタル料算出部２３０は、利用時間と、１時間あたりの料金と、所定の係数（例えば、０．８）とを乗算することで、割引後レンタル料を算出する。
【００８３】
次に、Ｓ１１１１にて、管理サーバ２００は、Ｓ１１０２にて取得したポートＩＤと、ポート位置情報と、種別情報と、機種別返却可能台数情報と、Ｓ１１１０にて算出した割引後レンタル料とをモバイル端末１００に送信する。
【００８４】
次に、Ｓ１１１２にて、モバイル端末１００は、Ｓ１１１１にて管理サーバ２００から送信されたポートＩＤと、ポート位置情報と、種別情報と、機種別返却可能台数と、割引後レンタル料とを受信する。
【００８５】
次に、Ｓ１１１３にて、モバイル端末１００は、Ｓ１１１２にて受信したポート位置情報と、種別情報と、機種別返却可能台数と、割引後レンタル料とに基づき、返却先表示画面（前述、図７）をディスプレイに表示させる。
【００８６】
なお、Ｓ１１０６，Ｓ１１１０にて、レンタル料算出部２３０は、ポート位置情報に基づきポートが設置されている店舗を特定し、特定した店舗で使用可能なクーポンを取得するようにしても良い。その場合、Ｓ１１０７，Ｓ１１１１にて、管理サーバ１００は、クーポンをモバイル端末１００に送信し、Ｓ１１０９，Ｓ１１１３にて、モバイル端末１００は、店舗ごとのに利用可能なクーポンを含む返却先表示画面をディスプレイに表示させる。
＜決済処理＞
【００８７】
図１２は、本発明の一実施の形態における決済処理の概要を示す図である。決済処理は、ポート３００に、モバイルバッテリーが返却された場合に開始する。
【００８８】
まず、Ｓ１２０１にて、ポート３００は、自らのポートＩＤ（モバイルバッテリーが返却されたポート３００のポートＩＤ）と、返却されたモバイルバッテリーのモバイルバッテリーＩＤを、管理サーバ２００へ送信する。
【００８９】
次に、Ｓ１２０２にて、管理サーバ２００は、Ｓ１２０１にて送信されたポートＩＤと、モバイルバッテリーＩＤとを受信する。
【００９０】
次に、Ｓ１２０３にて、管理サーバ２００のレンタル情報更新部２２０は、Ｓ１２０２にて受信したモバイルバッテリーＩＤをキーにモバイルバッテリー情報記憶部（前述、図４）２４２を検索し、対応する機種情報と、ポートＩＤ（モバイルバッテリーが貸し出されたポート３００のポートＩＤ）と、利用者ＩＤとを取得する。
【００９１】
次に、Ｓ１２０４にて、管理サーバ２００のレンタル情報更新部２２０は、Ｓ１２０３にて取得したポートＩＤ（モバイルバッテリーが貸し出されたポート３００のポートＩＤ）を、Ｓ１２０２にて受信したポートＩＤ（モバイルバッテリーが返却されたポート３００のポートＩＤ）へと更新する。また、レンタル情報更新部２２０は、Ｓ１２０３にて取得した利用者ＩＤを消去する。これによって、レンタル情報更新部２２０は、返却後の情報を反映することでレンタル情報を更新する。
【００９２】
次に、Ｓ１２０５にて、管理サーバ２００のレンタル情報更新部２２０は、Ｓ１２０２にて受信したモバイルバッテリーＩＤと、Ｓ１２０４にて更新したポートＩＤ（モバイルバッテリーが返却されたポートのポートＩＤ）と、消去した利用者ＩＤとを対応付けてモバイルバッテリー情報記憶部２４２に記憶する。これによって、レンタル情報更新部２２０は、モバイルバッテリーの管理状態を返却前から返却後のものへと更新する。
【００９３】
次に、Ｓ１２０６にて、管理サーバ２００のレンタル情報更新部２２０は、Ｓ１２０２にて受信したポートＩＤをキーに、ポート情報記憶部（前述、図３）２４１を検索し、対応する機種別残台数情報と、機種別返却可能台数情報（図中、台数情報）とを取得する。
【００９４】
次に、Ｓ１２０７にて、管理サーバ２００のレンタル情報更新部２２０は、Ｓ１２０７にて取得した機種別残台数情報と、機種別返却可能台数情報とを更新する。具体的には、レンタル情報更新部２２０は、Ｓ１２０３にて取得した機種情報と対応する機種をインクリメントすることで機種別返却可能台数情報を更新する。また、レンタル情報更新部２２０は、Ｓ１２０３にて取得した機種情報と対応する機種をデクリメントすることで機種別返却可能台数を更新する。
【００９５】
次に、Ｓ１２０８にて、管理サーバ２００のレンタル料算出部２３０は、Ｓ１１０３（上述、図１１）にて取得した貸出日時と現在の日時とに基づき、レンタル料を算出する。なお、機種情報から特定される機種の残台数が所定値以下である場合、レンタル料算出部２３０は、Ｓ１１１０にて、レンタル料算出２３０は、Ｓ１１０３にて取得した貸出日時と現在の日時と、所定の係数とに基づき、割引後レンタル料を算出する。
【００９６】
次に、Ｓ１２０９にて、管理サーバ２００は、Ｓ１２０８にて算出したレンタル料または割引後レンタル料（図中、レンタル料）をモバイル端末１００に送信する。
【００９７】
次に、Ｓ１２１０にて、モバイル端末１００は、Ｓ１２０９にて送信されたレンタル用または割引後レンタル料（図中、レンタル料）を受信する。
【００９８】
次に、Ｓ１２１１にて、モバイル端末１００は、レンタル料または割引後レンタル料について決済するための入力を利用者から受け付ける。
【００９９】
次に、Ｓ１２１２にて、モバイル端末１００は、管理サーバ２００に利用者ＩＤとトークンを送信し、公知の手段を用いて決済処理を行う。
【０１００】
次に、Ｓ１２１３にて、管理サーバ２００のレンタル情報更新部２２０は、Ｓ１２１２にて送信された利用者ＩＤをキーにレンタル情報記憶部２４３を検索し、対応する返却日時と、モバイルバッテリーＩＤとを取得する。
【０１０１】
次に、Ｓ１２１４にて、管理サーバ２００のレンタル情報更新部２２０は、Ｓ１２１３にて取得した返却日時を、現在の日時へと更新する。また、レンタル情報更新部２２０は、Ｓ１２１３にて取得したモバイルバッテリーＩＤを消去する。
【０１０２】
次に、Ｓ１２１５にて、管理サーバ２００のレンタル情報更新部２２０は、Ｓ１２１２にて送信された利用者ＩＤと、Ｓ１２１４にて更新した返却日時と、消去したモバイルバッテリーＩＤとを対応付けて利用者情報記憶部２４１に記憶する。
＜本実施の形態の効果＞
【０１０３】
以上説明した本発明の実施の形態によれば、モバイル端末１００が、管理サーバ２００から送信されるポート３００の位置情報と、モバイル端末１００の位置情報とに基づき、
【０１０４】
モバイルバッテリーの貸出前には、モバイル端末１００の現在位置と、モバイルバッテリーが貸し出されるポート３００が設置されるポート設置地点と、を地図上に表示し、モバイルバッテリーの貸出後には、モバイル端末１００の現在位置と、モバイルバッテリーが返却されるポートが設置されるポート設置地点と、を地図上に表示することで、モバイルバッテリーを貸出、返却可能な地点を提示できる。
【０１０５】
また、モバイル端末１００が、ポート設置地点と返却可能なモバイルバッテリーの台数とを表示することで、ポート設置地点に設置されているポート３００にモバイルバッテリーを返却可能か提示できる。
【０１０６】
また、管理サーバ２００のレンタル料算出部２３０が、貸出可能なモバイルバッテリーの残台数が所定値以下かをポート３００ごとに判定し、残台数が所定値以下ではないポート３００についてはモバイルバッテリーの利用時間と１時間あたりの料金とに基づきレンタル料を算出し、残台数が所定値以下であるポート３００については、モバイルバッテリーの利用時間と１時間あたりの料金と所定の係数とに基づき割引後レンタル料を算出することで、残台数が少ないポート３００へのモバイルバッテリーの返却を促すことができる。そして、ポート３００ごとのモバイルバッテリーの残台数を平準化でき、モバイルバッテリーを借りたくても借りられないポート３００の発生を抑止できる。
【０１０７】
また、モバイル端末１００が、ポート設置地点で利用可能なクーポンを表示することで、ポート設置地点への集客に寄与できる。
【０１０８】
また、ポート３００が、ポート設置地点および／または他のポート設置地点の広告を表示するディスプレイを有することで、ポート設置地点の売上上昇に寄与できる。
【０１０９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１１０】
たとえば、モバイル端末は、スマートフォン以外にも、ノート型ＰＣや、タブレット端末等の様々な形態のモバイル端末を全て含むものである。
【０１１１】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１１２】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【０１１３】
１００…モバイル端末、  
【０１１４】
２００…管理サーバ、２１０…ポート検索処理部、２２０…レンタル情報更新部、２３０…レンタル料算出部、２４０…利用者情報記憶部、２４１…ポート情報記憶部、２４２…モバイルバッテリー情報記憶部、２４３…レンタル情報記憶部、
３００…ポート。
【図１】
2019087165.tif 000003
【図２】
2019087165.tif 000004
【図３】
2019087165.tif 000005
【図４】
2019087165.tif 000006
【図５】
2019087165.tif 000007
【図６】
2019087165.tif 000008
【図７】
2019087165.tif 000009
【図８】
2019087165.tif 000010
【図９】
2019087165.tif 000011
【図１０】
2019087165.tif 000012
【図１１】
2019087165.tif 000013
【図１２】
2019087165.tif 000014
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
モバイル端末と、前記モバイル端末とネットワークを介して接続される管理サーバと、前記管理サーバとネットワークを介して接続され、モバイルバッテリーが収納されるポートと、を有するモバイルバッテリーレンタルシステムであって、
前記管理サーバは、モバイル端末の現在位置から所定範囲内に存在する前記ポートの位置情報を取得するポート検索処理部を有し、
前記モバイル端末は、
前記管理サーバから送信される前記ポートの位置情報と、前記モバイル端末の位置情報とに基づき、
前記モバイルバッテリーの貸出前には、前記モバイル端末の現在位置と、前記モバイルバッテリーが貸し出される前記ポートが設置されるポート設置地点と、を地図上に表示し、
前記モバイルバッテリーの貸出後には、前記モバイル端末の現在位置と、前記モバイルバッテリーが返却される前記ポートが設置されるポート設置地点と、を地図上に表示し、
前記管理サーバは、貸出可能な前記モバイルバッテリーの残台数が所定値以下かを前記ポートごとに判定し、前記残台数が所定値以下ではない前記ポートについては前記モバイルバッテリーの利用時間と１時間あたりの料金とに基づきレンタル料を算出し、前記残台数が所定値以下である前記ポートについては、前記モバイルバッテリーの利用時間と１時間あたりの料金と所定の係数とに基づき割引後レンタル料を算出するレンタル料算出部を有する、
モバイルバッテリーレンタルシステム。
【請求項２】
請求項１に記載のモバイルバッテリーレンタルシステムにおいて、
前記管理サーバの前記ポート検索処理部は、前記ポートごとの返却可能な前記モバイルバッテリーの台数を前記モバイル端末に送信し、
前記モバイル端末は、前記ポート設置地点と前記返却可能な前記モバイルバッテリーの台数とを表示する、
モバイルバッテリーレンタルシステム。
【請求項３】
請求項１に記載のモバイルバッテリーレンタルシステムにおいて、
前記管理サーバの前記ポート検索処理部は、
前記モバイルバッテリーの貸出前には、前記ポートごとの貸出可能な前記モバイルバッテリーの台数を前記モバイル端末に送信し、
前記モバイルバッテリーの貸出後には、前記ポートごとの返却可能な前記モバイルバッテリーの台数を前記モバイル端末に送信し、
前記モバイル端末は、
前記モバイルバッテリーの貸出前には、前記ポート設置地点と前記貸出可能な前記モバイルバッテリーの台数とを表示し、
前記モバイルバッテリーの貸出後には、前記ポート設置地点と前記返却可能な前記モバイルバッテリーの台数とを表示する、
モバイルバッテリーレンタルシステム。
【請求項４】
請求項１に記載のモバイルバッテリーレンタルシステムにおいて、
前記モバイル端末は、前記ポート設置地点で利用可能なクーポンを表示する、
モバイルバッテリーレンタルシステム。
【請求項５】
請求項１に記載のモバイルバッテリーレンタルシステムにおいて、
前記ポートは、前記ポート設置地点および／または他の前記ポート設置地点の広告を表示するディスプレイを有する、
モバイルバッテリーレンタルシステム。
【請求項６】
請求項１に記載のモバイルバッテリーレンタルシステムにおいて、
前記モバイル端末には、クレジットカード情報が登録されている、
モバイルバッテリーレンタルシステム。
【請求項７】
モバイル端末と、前記モバイル端末とネットワークを介して接続される管理サーバと、前記管理サーバとネットワークを介して接続され、モバイルバッテリーが収納されるポートと、を有するモバイルバッテリーレンタルシステムにおけるモバイルバッテリーレンタル方法であって、
前記管理サーバのポート検索処理部が、モバイル端末の現在位置から所定範囲内に存在する前記ポートの位置情報を取得するポート位置情報取得ステップと、
前記モバイル端末が、
前記管理サーバから送信される前記ポートの位置情報と、前記モバイル端末の位置情報とに基づき、
前記モバイルバッテリーの貸出前には、前記モバイル端末の現在位置と、前記モバイルバッテリーが貸し出される前記ポートが設置されるポート設置地点と、を地図上に表示する貸出先表示ステップと、
前記モバイルバッテリーの貸出後には、前記モバイル端末の現在位置と、前記モバイルバッテリーが返却される前記ポートが設置されるポート設置地点と、を地図上に表示する返却先表示ステップと、
前記管理サーバのレンタル料算出部が、貸出可能な前記モバイルバッテリーの残台数が所定値以下かを前記ポートごとに判定し、前記残台数が所定値以下ではない前記ポートについては前記モバイルバッテリーの利用時間と１時間あたりの料金とに基づきレンタル料を算出し、前記残台数が所定値以下である前記ポートについては、前記モバイルバッテリーの利用時間と１時間あたりの料金と所定の係数とに基づき割引後レンタル料を算出するレンタル料算出ステップと、
を有する、
モバイルバッテリーレンタル方法。